(57)【要約】【課題】  現在では金品包みを慶弔用袱紗に包んで持参する人が稀になって、金品包みを直接渡すか、或は購入した際の透明なプラスチック製の包装袋に入れたまま持参し、受付などで取り出すようにしている。そこで、金品包みの包装袋を簡易袱紗とした。【解決手段】  縦長長方形状をなす透明プラスチック製の袋の長辺に開口部１１を備え、正面から裏面への折り返し１２を設けて開口部の蓋とし、袋の正面部には、金品包みＷの正面上部に印刷される文字の透視部１３ａを除いて、冠婚葬祭に適する着色透明、模様などの色彩印刷部１３ｂを設け、袋内には別途金品包みＷの取り扱い説明、メーカー名、バーコードなどを記載する紙片３を収めるようにした。【選択図】        図２
2006123933.tif 000002
【特許請求の範囲】
【請求項１】
縦長長方形状をなす透明プラスチック製の袋の長辺に開口部を備え、正面から裏面への折り返しを設けて開口部の蓋とし、袋の正面部には、少なくとも金品包みの正面上部に印刷される文字の透視部を除いて、冠婚葬祭に適する着色透明、模様などの色彩印刷部を設け、袋内には別途金品包みの取り扱い説明、メーカー名、バーコードなどを記載する紙片を収めるようにし、このプラスチック製の袋を簡易袱紗として用いることができるようにした金品包みの包装袋。
【請求項２】
紙片を金品包みよりほぼ１．５倍縦長にして折れ目により折畳んで収めるようにし、折畳む短い連設片に縦長の窓穴を設けて差出人の氏名を金品包みの正面に記載する場合のガイドにしたことを特徴とする請求項１記載の金品包みの包装袋。
【請求項３】
プラスチック製の袋をポリプロピレンフィルムの無延伸フィルム（ＣＰＰ）により形成したことを特徴とする請求項１記載の金品包みの包装袋。
【発明の詳細な説明】
【技術分野】
【０００１】
この発明は、冠婚葬祭に際して主として金員を贈る場合に納める金品包み（熨斗袋）の包装袋を簡易袱紗としたものである。
金品包み（熨斗袋等）と同時に提供して、マナー違反を防ぐことができるようにしたものである。
【背景技術】
【０００２】
従来冠婚葬祭、すなわち、叙勲や役職就任などの祝い、婚礼祝い、出産祝い、成人・就職の祝い、長寿の祝い、葬式や法事、病気見舞い、災害見舞い、祭事などに金銭や商品券・ギフト券・図書券（図書カード）・宿泊券・旅行券・ホテル利用券などを贈るために持参する場合には、これらを直接入れる中包み（最近では袋になっているものが多い）を奉書紙で折り畳んで包み、これを適宜水引にて結んでなる金品包みに納めむき出しとすることはない。なお、この金品包みを祝儀袋（熨斗袋）、不祝儀袋ともいっている。
そして、この金品包みを礼服のポケットやハンドバッグから直接出して渡すのは失礼に当たるとされ、予め、慶弔用袱紗、或は地味な色柄の風呂敷に包んで持参するのが礼にかなった作法、マナーとされている。
【０００３】
そこで、特許文献１に提示するように金品包みと同時に提供される簡易袱紗を不織布にて製作して添付することが提案され、同様な製品が発売されている。
【特許文献１】登録実用新案公報  第３０２５９０３号
【発明の開示】
【発明が解決しようとする課題】
【０００４】
しかし、現在では金品包みを慶弔用袱紗に包んで持参する人が稀になって、金品包みをポケットやバッグから直接出して渡すか、或はこれらの金品包みを購入した際の透明なプラスチック製の包装袋に入れたまま持参し、受付などで包装袋から取り出すようにしているのをしばしば見かける。
【０００５】
透明なプラスチック製の包装袋には、その表裏に販売価格や取り扱い説明、メーカー名、バーコードなどが直接印刷されていることが多く、また開口部が長方形状をなす袋の短辺で取り出し難く、場所にそぐわないことにもなっていた。
これは、特に急遽通知があって出先や職場などから出かける通夜、葬儀では袱紗の用意がないためやむを得ない面もあるが、使うのが稀なために捜し損なうことがあるからである。
【０００６】
このように、従来の金品包みが当然ながらそれのみを販売しており、袱紗を別途用意する必要があるために、急場に間に合わず、やむを得ずマナー違反となっていた。
簡易袱紗を入れた製品では、それによって価格が上昇し必要のない人まで購入することになる問題もあった。
くわえて、金品包みを収める透明なプラスチック製の包装袋は、ポリプロピレンフィルムの二軸延伸フィルム（ＯＰＰ）により形成されることが多い。この素材は伸びにくく、透明性に優れるが、破れやすく、接着剤で封をしている箇所を剥がすときに比較的大きな音がしたり、包装袋自体が破けて破損することがあった。
【課題を解決するための手段】
【０００７】
この発明はこのような課題を解決するためのもので、金品包みのプラスチック製の包装袋を簡易な袱紗として転用可能とすることで解決を図ろうとするものである。
そして、請求項１の発明の要旨とするのは、縦長長方形状をなす透明プラスチック製の袋の長辺に開口部を備え、正面から裏面への折り返しを設けて開口部の蓋とし、袋の正面部には、少なくとも金品包みの正面上部に印刷される文字の透視部を除いて、冠婚葬祭に適する着色透明、模様などの色彩印刷部を設け、袋内には裏面部から透視できる金品包みの取り扱い説明、メーカー名、バーコードなどを記載する紙片を収めるようにし、このプラスチック製の袋を簡易袱紗として用いることができるようにした金品包みの包装袋である。
【０００８】
請求項２の発明に関わる包装袋は、紙片を金品包みよりほぼ１．５倍縦長にして折れ目により折畳んで収めるようにし、折畳む短い連設片に縦長の窓穴を設けて差出人の氏名を金品包みの正面に記載する場合のガイドにしたことを特徴とするものである。
さらに請求項３の発明に関わる包装袋は、プラスチック製の袋をポリプロピレンフィルムの無延伸フィルム（ＣＰＰ）により形成したことを特徴とするものである
長方形状をなし少なくとも一辺に開口部を備え、柔らかく弾力性を備えると共に肉薄の袋よりなり、冠婚葬祭用の金品包みを開口部から収納することができるようにしたものである。
【発明の効果】
【０００９】
この発明は以上のような構成からなるもので、請求項1の発明に係わる金品包みの包装袋では全体を透明のプラスチック製とするものの、正面部に金品包みの文字が透視できる透視部を除いて冠婚葬祭に合わせた色彩で着色印刷してなるもので、金品を入れて携帯し、受付で包装袋より取り出し、正面に金品包みを乗せて渡すのに好適で、包装袋が代用袱紗となるのである。
【００１０】
また、開口部を長辺側に設けているので、金品包みが別途水引を備えていても出し入れが容易となり使い勝手がよくなるのである。
加えて、従来では取り扱い説明、メーカー名、バーコードなどを包装袋の裏面側に直接印刷していたのを、別途紙片に印刷して包装袋に収め裏面から透視するようにしたので、実際に包装袋を代用袱紗として用いる際は、この紙片は廃棄すれば体裁がすっきりして金品包み用の包装袋との体裁を完全に払拭でき、簡易袱紗そのものとなる。
【００１１】
請求項２の発明に関わる包装袋は、紙片を金品包みよりほぼ１．５倍縦長にして折れ目により折畳んで収めるようにし、折畳む短い連設片に縦長の窓穴を設けて、金品包みに差出人の氏名を記載する場合のガイドにしたもので、金品包みに筆などで記名するときに字が躍ったり曲がったりすることを避けられるのである。また余白は試し書き、練習に使うことができる。
【００１２】
請求項３の発明の包装袋では、プラスチック製の袋をポリプロピレンフィルムの無延伸フィルム（ＣＰＰ）により形成したので、若干透明性はＯＰＰに劣るものの、強靭さがあるので、あけるときに簡単に破損したりすることがなく、代用袱紗として確実に用いることができるのである。
【００１３】
この発明は以上のように、包装袋自体が簡易あるいは代用袱紗となるので、金品包みに付して一緒に販売することができマナー違反を避けられるのである。
この代用袱紗に乗せて金品を渡した後に手に残ったものは畳んだり丸めてポケットやハンドバッグに入れても嵩張らず邪魔にもならないのである。
【発明を実施するための最良の形態】
【００１４】
以下図面に示すこの発明の実施の形態に即して説明する。
図１は、この金品包みＷの包装袋１の正面図を示すもので、包装袋１の素材は、熱可塑性樹脂の無延伸ポリプロピレン（ＣＰＰ）から構成される。
ＣＰＰは伸びやすく透明性の点でＯＰＰに少し劣るが、強靭性で優れるので金品包みを抜き出した後に代用袱紗として用いるのに適していると認められる。
【００１５】
この素材を縦長方形の袋にするのであるが、従来の包装袋と異なり、長手方向となる長辺を開口部１１とする。そして、図２乃至図４に示すように正面から後ろへの折り返し１２を三角形状として、頂点となる一箇所で封緘紙２を裏面側に貼り付けることで金品包みＷを収めるようにしてある。
【００１６】
この包装袋１の正面部１３には、上部に縦長楕円状の透視部１３ａ、すなわち、印刷しない箇所を除いて冠婚葬祭に適する着色透明、模様、色彩などの色彩印刷部１３ｂを設けてある。
透視部１３ａは、内部に納める冠婚葬祭用の金品包みＷの正面上部に予め印刷されるご霊前、ご仏前、結婚祝い、お祝いなどの文字を透視して認識判別できるようにする。
色彩印刷部１３ｂは、慶事であれば、紅、赤、ピンクなどを主たる色彩とし、弔事であればグレーを主たる色とし、適宜模様、濃淡などを付して構成する。
慶弔をかねる色彩としては紫、濃紺を主たる色彩として印刷すればよい。
【００１７】
透視部１３ａは図７、図８に示すように、正面部１３の周縁を除いた全体として、周縁に色彩印刷部１３ｂを設けるようにしてもよい。
【００１８】
図５に示すように包装袋１内には、別途金品包みＷの取り扱い説明、メーカー名、バーコード（四角の枠内に記載する）などを記載する紙片３を収め包装袋１の裏面から透視できるようにする。
この紙片３は、金品包みＷと同じ大きさとしてもよいが、図示のように、金品包みＷよりほぼ１．５倍縦長にして折れ目３１により折畳んで収めるようにし、折畳む短い連設片３２に縦長の窓穴３３を穿ち、連設片３２を金品包みＷの正面下部に重ねてこの窓穴３３を利用して金品包みＷに差出人の氏名を記載する場合のガイドとし、氏名が左右に曲がったり、踊ったりしないようにする。窓穴３３の両側縁には目盛３３ａを付して氏名を縦方向にバランスよく配置できるようにしてある。（図６参照）
【００１９】
実施の形態では無延伸ポリプロピレン（ＣＰＰ）としてあり、この素材が好適あるが、透明プラスチックであれば、その他の素材を用いても差し支えない。
正面から後ろへの折り返し１２を三角形状として封緘紙２を一箇所で止められるようにすることが望ましいが、折り返し１２を方形状、その他の形状とすることを排除するものではない。
【００２０】
さらに、実施の形態では紙片３を長くして、折れ目３１を設けて窓穴３３を備えた連設片３２により金品包みＷの正面に差出人の氏名を記載する際のガイドとしてあるが、包装袋１に入る大きさとして連設片３２を備えないようにしてもよい。
【００２１】
以上のような構成からなる包装袋１は、封緘紙２を剥がして内部の紙片３を廃棄し、金品包みＷに現金などを納め、従来の袱紗と同様に金品包みＷを納め、折り返し１２にて金品包みＷを包むように包装袋１の裏側内に差し込み持参することになる。
そして、渡すべき相手にそのまま渡すか、或は、金品包みＷを簡易袱紗となった包装袋１より取り出して上に乗せて渡すようにする。
【図面の簡単な説明】
【００２２】
【図１】この発明に係る包装袋の正面図である。
【図２】この発明に係る包装袋の使用状態図である。
【図３】この発明に係る包装袋の使用状態図である。
【図４】この発明に係る包装袋の使用状態の背面図である。
【図５】包装袋内に挿入する紙片である。
【図６】紙片の使用状態を示す斜視図である。
【図７】別の実施形態の包装袋の正面図である。
【図８】図７の包装袋の使用状態図である。
【符号の説明】
【００２３】
Ｗ  金品包み
１  包装袋
１１  開口部
１２  折り返し
１３  正面部
１３ａ  透視部
１３ｂ  色彩印刷部
２  封緘紙
３  紙片
３１  折れ目
３２  連設片
３３  窓穴
【図２】
2006123933.tif 000003
【図３】
2006123933.tif 000004
【図４】
2006123933.tif 000005
【図５】
2006123933.tif 000006
【図６】
2006123933.tif 000007
【図８】
2006123933.tif 000008
【図１】
2006123933.tif 000009
【図７】
2006123933.tif 000010
【手続補正書】
【提出日】平成16年12月1日(2004.12.1)
【手続補正１】
【補正対象書類名】図面
【補正対象項目名】図３
【補正方法】変更
【補正の内容】
【図３】
2006123933.tif 000011
【手続補正２】
【補正対象書類名】図面
【補正対象項目名】図５
【補正方法】変更
【補正の内容】
【図５】
2006123933.tif 000012
【手続補正３】
【補正対象書類名】図面
【補正対象項目名】図６
【補正方法】変更
【補正の内容】
【図６】
2006123933.tif 000013